(57)【要約】【課題】データ伝送システム及びデータ伝送制御方法に関し、障害発生個所を迂回してデータ伝送を継続する。【解決手段】複数の伝送装置１−１〜１−５の送受信制御処理部２−１〜２−５を、二重化した伝送路Ｌ０，Ｌ１により順次直列的に接続し、両端に位置する一方と他方との伝送装置１−１，１−５の送受信制御処理部２−１，２−５に迂回制御処理部４ａ，４ｂを接続し、所定の周期でライフ値を含む近距離情報フレームを送受信して、近距離情報フレームの受信状態により、伝送経路の障害発生の有無を判定し、障害発生時には、その障害発生個所を通過予定の情報フレームのみを、迂回ネットワーク６を介して伝送するように迂回制御処理部４ａ，４ｂによって制御する。【選択図】図１
2010050872.tif 000002
【特許請求の範囲】
【請求項１】
情報フレームによりデータの送受信制御を行う送受信制御処理部をそれぞれ有する複数の伝送装置を０系と１系との二重化した伝送路により順次直列的に接続したデータ伝送システムに於いて、
前記伝送路により順次直列的に接続した複数の伝送装置の両端に位置する一方と他方との伝送装置の送受信制御処理部にそれぞれ接続した迂回制御処理部を有し、
該迂回制御処理部は、前記０系と１系との二重化した伝送路の何れか一方又は両方の伝送障害の検出手段と、該検出手段により検出した伝送障害発生個所を経由する予定の情報フレームを、迂回ネットワークを介して迂回転送制御する手段と
を備えていることを特徴とするデータ伝送システム。
【請求項２】
前記迂回制御処理部は、送信元アドレスを自アドレス、送信先アドレスを前記複数の伝送装置対応の前記送信制御処理部を順次指定するアドレス、ライフ値を前記一方と他方との迂回制御処理部間に接続された前記送受信制御処理部の数に１を加算した値とした近距離情報フレームを予め定めた所定の周期で送出する手段と、前記近距離情報フレームを受信し且つ前記ライフ値が１となる伝送路正常か、前記所定の周期経過後も受信なし又は受信した前記ライフ値異常となる伝送路異常かを判定する手段とを備え、前記送受信制御処理部は、前記一方の迂回制御処理部から送出した前記近距離情報フレームの前記ライフ値を１減算して前記他方の迂回制御処理部へ転送する手段を備えたことを特徴とする請求項１記載のデータ伝送システム。
【請求項３】
前記送受信制御処理部は、送信元アドレスを自アドレス、送信先アドレスをブロードキャストアドレス、ライフ値を所定ビット数による最大値とした近距離情報フレームを予め定めた所定の周期で前記０系と１系との伝送路に送出する手段と、前記伝送路により対向接続された送受信制御処理部からの近距離情報フレームを受信して、該近距離情報フレームのライフ値を１減算して転送する手段と、前記０系と１系との伝送路を介して受信した前記近距離情報フレームの前記ライフ値を比較して大きい値を示す方の伝送路による自アドレス宛ての情報フレームを受信処理する構成を備えたことを特徴とする請求項１記載のデータ伝送システム。
【請求項４】
前記迂回ネットワークを介して接続された一方と他方との前記迂回制御処理部は、前記伝送路正常か伝送路異常かを判定する手段により伝送路異常と判定した時に、前記迂回ネットワークを介して対向接続された迂回制御処理部に迂回要求を送出し、且つ前記伝送路異常と判定した個所を通過する情報フレームを、前記迂回ネットワークを介して対向接続された迂回制御処理部に送出する手段を備えたことを特徴とする請求項１又は２記載のデータ伝送システム。
【請求項５】
データの送受信制御を行う送受信制御処理部をそれぞれ有する複数の伝送装置を０系と１系との二重化した伝送路により順次直列的に接続して前記伝送装置間で情報フレームによりデータを伝送するデータ伝送制御方法に於いて、
前記伝送路により順次直列的に接続した複数の伝送装置の両端に位置する一方と他方との伝送装置の送受信制御処理部にそれぞれ接続した迂回制御処理部から、所定の周期で、送信元アドレスを自アドレス、送信先アドレスを前記複数の伝送装置を順次指定するアドレス、ライフ値を前記一方と他方との迂回制御処理部間に接続されている前記送受信制御処理部の数に１を加算した値とした近距離情報フレームを所定の周期で送出する過程と、
前記一方と他方との迂回制御処理部は、近距離情報フレームの送受信が正常に実行されているか否かにより伝送路異常か否かを判定し、伝送路異常と判定した時に、前記迂回ネットワークを介して対向接続された迂回制御処理部に迂回要求を送出し、且つ該迂回制御処理部に対して前記伝送路異常発生個所を通過する情報フレームを、前記迂回ネットワークを介して送出する過程と
を含むことを特徴とするデータ伝送制御方法。
【請求項６】
前記伝送路異常発生と判定した時は、前記迂回ネットワークを介して前記迂回制御処理部により、前記送受信制御処理部間の情報フレームを迂回伝送し、前記近距離情報フレームの正常受信により前記伝送路異常発生個所が正常状態に復帰したことを検出した時、前記迂回ネットワークを介して迂回要求なしを通知し、且つ前記迂回ネットワークを介して迂回転送していた送信先アドレスの情報フレームを破棄する過程を含むことを特徴とする請求項５記載のデータ伝送制御方法。
【発明の詳細な説明】
【技術分野】
【０００１】
本発明は、複数の伝送装置を順次直列的に０系と１系との伝送路により接続し、両端に位置する伝送装置間を迂回ネットワークによって接続し、正常時は、０系と１系との伝送路を介して伝送装置間でデータ伝送を行い、０系と１系との何れか一方又は両方の伝送路の障害発生時に、迂回ネットワークを介して障害発生個所を迂回してデータ伝送を継続可能としたデータ伝送システム及びデータ伝送制御方法に関する。
【背景技術】
【０００２】
高速道路や河川に沿って複数の伝送装置を配置し、観測情報の収集や管理制御情報の通知等を行うシステムが知られており、このようなシステムに於いては、始点と終点とに相当する伝送装置間に複数の伝送装置がそれぞれ所定の距離で配置され、順次伝送路により直列的に接続された構成となる。又複数の多重化装置を専用線により順次接続した伝送システムに於いて、専用線及び多重化装置に於ける障害発生個所を、公衆回線のＩＳＤＮ回線を利用して迂回接続し、障害救済を行う手段が提案されている（例えば、特許文献１参照）。又伝送路を０系と１系との二重化構成として信頼性向上を図ったシステムも比較的多く知られており、０系と１系との二重リング状の高速伝送路により複数の伝送装置を接続してデータ伝送システムを構成し、０系と１系との伝送路が同時的に障害となる二重障害発生時に於いても、データ伝送を継続可能とする為に、予め選定した伝送装置間を低速ネットワークにより接続して、これを高速伝送路の迂回経路とし、二重リング状の高速伝送路の二重障害発生時に、この低速ネットワークを動作状態として、データ伝送を継続させるシステムが提案されている（例えば、特許文献２参照）。
【０００３】
又障害発生によりデータ伝送が中断されるから、これを迅速に検出して回復処理を行うことがデータ伝送システムの信頼性向上の為にも要望されるものであり、所定期間毎に試験データを送出して正常性確認を行うシステムが知られている。このようなシステムに於いて、試験データの送出側に対して、被試験伝送装置は、折り返しループを形成することにより、受信した試験データを折り返し返送し、試験データ送出側では、送信した試験データと折り返し受信した試験データとを照合し、照合一致により正常性を確認可能とするシステムも知られている（例えば、特許文献３参照）。
【特許文献１】特開２０００−２２７０４号公報
【特許文献２】特開２００３−２８３５１９号公報
【特許文献３】特開２００５−２０３９１４号公報
【発明の開示】
【発明が解決しようとする課題】
【０００４】
複数の伝送装置を順次直列的に０系と１系との伝送路により接続し、一端に位置する伝送装置から他端に位置する伝送装置の方向に伝送するデータは、例えば、０系の伝送路を利用し、他端に位置する伝送装置から一端に位置する伝送装置の方向に伝送するデータは、１系の伝送路を利用して伝送するデータ伝送システムは、比較的簡単な構成により各伝送装置間でデータ伝送が可能となる。しかし、０系と１系との伝送路を含む伝送経路の何れかに障害が発生すると、その障害発生個所をデータの伝送経路としていた伝送装置間ではデータ伝送が不可能となる問題がある。そこで、前述の特許文献２に示すように、完全二重化した伝送路により各伝送装置間をリング状に接続し、更に予備としての低速ネットワークを設けることにより、障害発生によるデータ伝送の完全断を回避することができる。しかし、大規模なシステム構成となるから、システムのコストアップが問題となる。
【０００５】
又障害発生個所を含む伝送経路により伝送していたデータは、障害が回復されるまで中断することになる。従って、障害発生検出を迅速に行って、迂回処理や回復処理を開始することが必要である。伝送装置は、受信断検出機能を備えた構成が一般的であり、この受信断検出機能によって障害発生を検出することが可能であるが、障害発生個所を通過する伝送経路の伝送装置が総て受信断検出を行うことになり、実際の障害発生個所を識別することは容易ではない。そこで、折り返し試験を順次行うことが考えられるが、比較的長時間を要する問題がある。
【０００６】
本発明は、前述の従来の問題点を解決することを目的とし、複数の伝送装置を直列的に順次０系と１系との伝送路により接続したシステムに於ける障害発生時に、迂回ネットワークを介して障害発生個所を迂回させて情報フレームによりデータ伝送を継続可能とし、低コストで信頼性の向上を図るものである。
【課題を解決するための手段】
【０００７】
本発明のデータ伝送システムは、情報フレームによりデータの送受信制御を行う送受信制御処理部をそれぞれ有する複数の伝送装置を、０系と１系との二重化した伝送路により順次直列的に接続したデータ伝送システムであって、０系と１系との伝送路により順次直列的に接続した複数の伝送装置の両端に位置する一方と他方との伝送装置の送受信制御処理部にそれぞれ接続した迂回制御処理部を有し、この迂回制御処理部は、０系と１系との二重化した伝送路の何れか一方又は両方の伝送障害の検出手段と、この検出手段により検出した伝送障害発生個所を経由する予定の情報フレームを、迂回ネットワークを介して迂回転送制御する手段とを備えている。
【０００８】
又前記迂回制御処理部は、送信元アドレスを自アドレス、送信先アドレスを複数の伝送装置対応の送信制御処理部を順次指定するアドレス、ライフ値を一方と他方との迂回制御処理部間に接続された送受信制御処理部の数に１を加算した値とした近距離情報フレームを、予め定めた所定の周期で送出する手段と、この近距離情報フレームを受信し且つライフ値が１となる伝送路正常か、前記所定の周期経過後も受信なし又は受信した前記ライフ値異常となる伝送路異常かを判定する手段とを備え、前記送受信制御処理部は、一方の迂回制御処理部から送出した近距離情報フレームのライフ値を１減算して、他方の迂回制御処理部へ転送する手段を備えている。
【０００９】
又前記送受信制御処理部は、送信元アドレスを自アドレス、送信先アドレスをブロードキャストアドレス、ライフ値を所定ビット数による最大値とした近距離情報フレームを、予め定めた所定の周期で、０系と１系との伝送路に送出する手段と、この０系と１系との伝送路により対向接続された送受信制御処理部からの近距離情報フレームを受信して、この近距離情報フレームのライフ値を１減算して転送する手段と、０系と１系との伝送路を介して受信した近距離情報フレームのライフ値を比較して大きい値を示す方の伝送路による自アドレス宛ての情報フレームを受信処理する構成を備えている。
【００１０】
又前記迂回ネットワークを介して接続された一方と他方との迂回制御処理部は、伝送路正常か伝送路異常かを判定する手段により伝送路異常と判定した時に、迂回ネットワークを介して対向接続された迂回制御処理部に迂回要求を送出し、且つ伝送路異常と判定した個所を通過する情報フレームを、迂回ネットワークを介して対向接続された迂回制御処理部に送出する手段を備えている。
【００１１】
又本発明のデータ伝送制御方法は、データの送受信制御を行う送受信制御処理部をそれぞれ有する複数の伝送装置を０系と１系との二重化した伝送路により順次直列的に接続して、伝送装置間で情報フレームによりデータを伝送するデータ伝送制御方法であって、伝送路により順次直列的に接続した複数の伝送装置の両端に位置する一方と他方との伝送装置の送受信制御処理部にそれぞれ接続した迂回制御処理部から、所定の周期で、送信元アドレスを自アドレス、送信先アドレスを複数の伝送装置を順次指定するアドレス、ライフ値を一方と他方との迂回制御処理部間に接続されている送受信制御処理部の数に１を加算した値とした近距離情報フレームを所定の周期で送出する過程と、一方と他方との迂回制御処理部は、近距離情報フレームの送受信が正常に実行されているか否かにより伝送路異常か否かを判定し、伝送路異常と判定した時に、前記迂回ネットワークを介して対向接続された迂回制御処理部に迂回要求を送出し、且つ迂回制御処理部に対して伝送路異常発生個所を通過する情報フレームを、迂回ネットワークを介して送出する過程とを含むものである。
【００１２】
又伝送路異常発生判定により、迂回制御処理部により迂回ネットワークを介して送受信制御処理部間の情報フレームを迂回伝送し、近距離情報フレームの正常受信により、伝送路異常発生個所が正常状態に復帰したことを検出した時、迂回ネットワークを介して迂回要求なしを通知し、且つ迂回ネットワークを介して迂回転送していた送信先アドレスの情報フレームを破棄する過程を含むものである。
【発明の効果】
【００１３】
複数の伝送装置の送受信処理部に於ける所定周期の近距離情報フレームの受信状態が正常か異常かを判定し、受信できない場合は、伝送経路に沿った前段側に異常発生と判定し、その異常発生個所を通過予定の情報フレームのみを、迂回制御処理部の制御によって迂回ネットワークを介して転送することにより、０系と１系との二重化した伝送路に於ける二重障害発生時でも、情報フレームによるデータ伝送を継続することが可能となり、迂回ネットワークは、既存のイーサネット（登録商標）等のネットワークも利用可能であるから、システムコストの上昇を抑制し、且つデータ伝送の信頼性を向上することができる。
【発明を実施するための最良の形態】
【００１４】
本発明のデータ伝送システムは、図１を参照して説明すると、情報フレームによりデータの送受信制御を行う送受信制御処理部２−１〜２−５をそれぞれ有する複数の伝送装置１−１〜１−５を、０系と１系との二重化した伝送路Ｌ０，Ｌ１により順次直列的に接続したデータ伝送システムであって、０系と１系との伝送路Ｌ０，Ｌ１により順次直列的に接続した複数の伝送装置１−１〜１−５の両端に位置する一方と他方との伝送装置１−１，１−５の送受信制御処理部２−１，２−５にそれぞれ接続した迂回制御処理部４ａ，４ｂを有し、この迂回制御処理部４ａ，４ｂは、０系と１系との二重化した伝送路Ｌ０，Ｌ１の何れか一方又は両方の伝送障害の検出手段と、この検出手段により検出した伝送障害発生個所を経由する予定の情報フレームを、迂回ネットワーク６を介して迂回転送制御する手段とを備えている。
【００１５】
又本発明のデータ伝送制御方法は、データの送受信制御を行う送受信制御処理部２−１〜２−５をそれぞれ有する複数の伝送装置１−１〜１−５を０系と１系との二重化した伝送路Ｌ０，Ｌ１により順次直列的に接続して、伝送装置間で情報フレームによりデータを伝送するデータ伝送制御方法であって、伝送路Ｌ０，Ｌ１により順次直列的に接続した複数の伝送装置１−１〜１−５の両端に位置する一方と他方との伝送装置１−１，１−５の送受信制御処理部２−１，２−５にそれぞれ接続した迂回制御処理部４ａ，４ｂから、所定の周期で、送信元アドレスを自アドレス、送信先アドレスを複数の伝送装置１−１〜１−５を順次指定するアドレス、ライフ値を一方と他方との迂回制御処理部４ａ，４ｂ間に接続されている送受信制御処理部２−１〜２−５の数に１を加算した値とした近距離情報フレームを所定の周期で送出する過程と、一方と他方との迂回制御処理部４ａ，４ｂは、近距離情報フレームの送受信が正常に実行されているか否かにより伝送路異常か否かを判定し、伝送路異常と判定した時に、迂回ネットワーク６を介して対向接続された迂回制御処理部４ａ，４ｂに迂回要求を送出し、且つ迂回制御処理部に対して伝送路異常発生個所を通過する情報フレームを、迂回ネットワーク６を介して送出する過程とを含むものである。
【実施例１】
【００１６】
図１は、本発明の実施例１の説明図であり、１−１〜１−５は伝送装置、２−１〜２−５は送受信制御処理部、３は端末制御処理部、４ａ，４ｂは迂回制御処理部、５は端末、６は迂回ネットワーク、Ｌ０，Ｌ１は０系と１系との伝送路を示す。この０系と１系との伝送路Ｌ０，Ｌ１により順次直列的に伝送装置１−１〜１−５を接続する。各伝送装置１−１〜１−５は、それぞれ送受信制御処理部２−１〜２−５と端末制御処理部３とを含む構成を有し、且つ直列的に０系と１系との伝送路Ｌ０，Ｌ１により接続した伝送装置１−１〜１−５の両端に位置する一方と他方との伝送装置１−１，１−５の送受信制御処理部４ａ，４ｂにそれぞれ迂回制御処理部４ａ，４ｂを接続し、この迂回制御処理部４ａ，４ｂ間を迂回ネットワーク６により接続し、０系と１系との伝送路Ｌ０，Ｌ１の何れか一方又は両方の障害発生時のみ、迂回制御処理部４ａ，４ｂにより、障害発生個所を通過予定の情報フレームのみを、迂回ネットワーク６を介して迂回伝送処理する。
【００１７】
直列的に伝送路Ｌ０，Ｌ１により順次接続した一端と他端との伝送装置１−１，１−５の送受信制御処理部２−１，２−５に接続した迂回制御処理部４ａ，４ｂは、伝送装置１−１，１−５と独立した装置として、それぞれ０系、１系の伝送路Ｌ０，Ｌ１により伝送装置１−１，１−５の送受信制御処理部２−１，２−５と接続した構成とすることも可能であり、又送受信制御処理部２−１，２−５の制御処理機能を拡充し、迂回制御処理部４ａ，４ｂの機能を実現する構成とすることも可能である。又迂回ネットワーク６は、既存のイーサネット（登録商標）等のＬＡＮを適用することも可能である。又０系と１系との伝送路Ｌ０，Ｌ１は光伝送路として、送受信制御処理部２−１〜２−５に光信号を電気信号に変換する光電変換部と電気信号を光信号に変換する電光変換部とを設けた構成とすることも可能である。
【００１８】
又０系と１系との伝送路Ｌ０，Ｌ１が正常な場合、例えば、一端の伝送装置１−１側から他端の伝送装置１−５側へは、矢印で示すように、０系の伝送路Ｌ０を介して情報フレームを伝送し、他端の伝送装置１−５側から一端の伝送装置１−１側へは、１系の伝送路Ｌ１を介して情報フレームを伝送することができる。このような伝送装置１−１〜１−５間の情報フレームによるデータ伝送は、それぞれの送受信制御処理部２−１〜２−５により行うもので、送信先アドレスにより自装置宛のデータか否かを識別し、他装置宛の場合は次の伝送装置へ送信し、自装置宛の場合は、その情報フレームの受信処理を行って、端末制御処理部３へ転送し、端末制御処理部３から端末５へデータを転送する。又端末５からのデータを、端末制御処理部３を介して送受信制御処理部２−１〜２−５へ転送し、送信先アドレスに従って、０系又は１系の伝送路に送出する。又各送受信制御処理部２−１〜２−５と迂回制御処理部４ａ，４ｂとにそれぞれ異なるアドレスを付与しておくものであり、それらをパッケージ構成とすると、パッケージアドレスとして管理することも可能である。なお、伝送装置の接続個数は更に多くすることも可能であり、反対に少ない個数とすることもできる。又端末５は、伝送装置対応に１個のみ図示しているが、更に多数とすることも可能であり、又他のデータ処理システムを接続することも可能である。
【００１９】
各送受信制御処理部２−１〜２−５及び迂回制御処理部４ａ，４ｂは、各部の正常性を確認する為に、所定の周期で近距離情報フレームを送信する。その場合、識別子等により通常のデータ伝送の為の情報フレームと区別可能の構成とし、各送受信制御処理部２−１〜２−５からの近距離情報フレームは、送信元アドレスを自アドレス、送信先アドレスをブロードキャストアドレス、ライフ値の初期値を、８ビット構成とした場合、その最大値の“ＦＦ”とする。なお、４ビット構成とした場合は、その最大値の“Ｆ”（＝“１１１１”）とする。又迂回制御処理部４ａ，４ｂからの近距離情報フレームは、送信元アドレスを自アドレスとし、且つ送信先アドレスを、それぞれ各送受信制御処理部２−１〜２−５のアドレスとし、ライフ値を、送受信制御処理部２−１〜２−５の個数Ｎに対して１を加算した（Ｎ＋１）とする。なお、ライフ値は、近距離情報フレームを転送処理する毎に、１を減算して、０系伝送路Ｌ０による受信の場合は０系伝送路Ｌ０に転送し、１系伝送路Ｌ１による受信の場合は１系伝送路Ｌ１に転送する。従って、迂回制御処理部４ａからの近距離情報フレームのライフ値は、送受信制御処理部２−１〜２−５の個数Ｎが５の場合を示すから、ライフ値の初期値は、Ｎ＋１＝６となる。そして、送受信制御処理部２−１〜２−５により転送処理する毎に１を減算するから、迂回制御処理部４ａからの近距離情報フレームを、迂回制御処理部４ｂにより正常受信した時のライフ値は１となる。又送受信制御処理部２−１〜２−５から送信する近距離情報フレームのライフ値は、初期値を“ＦＦ”とするから、転送処理毎に１を減算して、“ＦＥ”，“ＦＤ”，“ＦＣ”，・・・となる。従って、送信元アドレスと対応づけることにより、自装置に対する０系伝送路Ｌ０と１系伝送路Ｌ１とによる接続順序を認識し、且つ近距離情報フレームの送信元アドレスにより、アドレステーブルを形成することができる。
【００２０】
又迂回制御処理部４ａ，４ｂは、伝送障害発生の場合、自装置側の伝送装置の送受信制御処理部からの近距離情報フレームは受信可能であるが、それ以外は受信不可能となる。それにより、迂回ネットワーク６を介して対向迂回制御処理部に迂回要求を送出する。その場合、例えば、アドレステーブルを参照して、迂回転送する情報フレームの送信元アドレスと送信先アドレスとを含む転送要求を対向迂回制御処理部に、迂回ネットワーク６を介して転送することができる。又障害回復時は、近距離情報フレームの正常受信が可能となるから、対向迂回制御処理部に迂回要求なしを通知し、迂回転送を停止する。又迂回要求なしの正常な状態となった後は、迂回制御処理部４ａ，４ｂは、迂回ネットワーク６を介し迂回転送を停止して、受信した情報フレームを廃棄する。
【００２１】
図２は、送受信制御処理部の要部説明図であり、図１に於ける送受信制御処理部２−１〜２−５の要部を示す。同図に於いて、２は送受信制御処理部、１１ａ，１１ｂはフレーム収集部、１２ａ，１２ｂはフレーム生成部、１３は送信フレーム挿入部、１４は受信フレーム判定部、１５は情報記録部、１６はライフ値挿入部、１７はＭＡＣ−ＳＡ挿入部、１８は時刻経過判定部、１９は受信経路判定部、Ｌ０，Ｌ１は０系、１系の伝送路を示し、これらの伝送路Ｌ０，Ｌ１を介して対向装置との間で前述の情報フレーム及び近距離情報フレーム（以下情報フレームと近距離情報フレームとを含む場合、「フレーム」として説明する。）の伝送を行う。この一方の対向装置から０系伝送路Ｌ０により伝送されたフレームを、フレーム収集部１１ａにより受信し、又他方の対向装置から１系伝送路Ｌ１により伝送されたフレームを、フレーム収集部１１ｂにより受信し、受信フレーム判定部１４へ転送する。
【００２２】
受信フレーム判定部１４は、近距離情報フレームが所定の間隔で受信したか否かの判定手段を含む時刻経過判定部１８と、受信ライフ値の比較による０系、１系の伝送路の何れかの経路を判定する受信経路判定部１９との機能を含む場合を示し、更に、図示を省略している受信フレームの送信先アドレスが自装置アドレスを示すか否かの判定機能と、自装置宛のフレームは、例えば、端末制御処理部３（図１参照）へ転送し、他装置宛のフレームは、送信フレーム挿入部１３へ転送する機能や、前述の近距離情報フレームの受信制御処理の機能も含むものである。この近距離情報フレームの受信制御処理の機能は、初期状態に於いて、受信近距離情報フレームに付加されている送信元アドレスとライフ値とを用いて、情報記録部１５にアドレステーブルを形成する機能も含むものである。又近距離情報フレームを受信した場合は、送信フレーム挿入部１３へ転送する処理機能も含むものである。
【００２３】
又送信フレーム挿入部１３は、ライフ値挿入部１６とＭＡＣ−ＳＡ挿入部１７との機能を含むと共に、フレーム生成部１２ａを介して１系伝送路Ｌ１にフレームを送信するか、又はフレーム生成部１２ｂを介して０系伝送路Ｌ０にフレームを送信するかの選択制御機能も含むものである。なお、０系伝送路Ｌ０を介して受信したフレームが自装置宛でない場合、フレーム生成部１２ｂにより０系伝送路Ｌ０に送出し、１系伝送路Ｌ１を介して受信したフレームが自装置宛でない場合、フレーム生成部１２ａを介して１系伝送路Ｌ１に送出する。又送信先アドレスは、前述の情報記録部１５に形成したアドレステーブルを利用して設定することができる。又ライフ値挿入部１６は、受信近距離情報フレームのライフ値を１減算する処理と、自装置アドレスを送信元アドレスＳＡとした近距離情報フレームのライフ値を“ＦＦ”に設定する処理との機能を含むものである。又ＭＡＣ−ＳＡ挿入部１７は、情報記録部１５に形成したアドレステーブルを参照して、前述の近距離情報フレーム及びデータ伝送フレームの送信元アドレスＳＡとして付加する機能を有するものである。
【００２４】
図３は、迂回制御処理部の要部説明図であり、図１に於ける迂回制御処理部４ｂと迂回ネットワーク６と迂回制御処理部４ａと対向装置とを示し、この対向装置は、図１に於ける伝送装置１−４又は送受信制御処理部２−５に相当する。迂回制御処理部４ｂは、フレーム収集部２１ａ，２１ｂと、フレーム生成部２２ａ，２２ｂと、送信フレーム挿入部２３ａ，２３ｂと、情報記録部２４とを含む構成を有する場合を示し、対向迂回制御処理部４ａも同様な構成を有するものであり、情報記録部２４は、アドレステーブルや、各伝送装置の送受信制御処理部に於ける近距離情報フレームの受信記録情報を収集して格納することができる。
【００２５】
又送信フレーム挿入部２３ａは、ＭＡＣ−ＳＡ挿入部２５とライフ値挿入部２６とを含むと共に、迂回制御時に、迂回ネットワーク６を介して対向迂回制御処理部４ａから転送されてフレーム収集部２１ａにより受信した情報フレームを、フレーム生成部２２を介して送出する迂回制御を行う機能を有すると共に近距離情報フレームを所定の周期で送出する機能を有するものである。又送信フレーム挿入部２３ｂは、対向迂回制御処理部４ａからの近距離情報フレームを所定の周期で受信可能であるか否かを識別し、受信できない場合は、障害発生と判断して、迂回ネットワーク６を介して対向迂回制御処理部４ａに情報フレームを転送する制御機能を有するものである。又迂回制御時に、フレーム収集部２１ｂにより受信した情報フレームを、迂回転送すべき情報フレームか否かを判定し、迂回転送すべき情報フレームと判定すると、フレーム生成部２２ａから迂回ネットワーク６を介して対向迂回制御処理部４ａへ送出し、迂回転送する必要がないと判定すると、その情報フレームを破棄する機能を有するものである。
【００２６】
図４は、近距離情報フレームのライフ値の説明図であり、迂回制御処理部からの近距離情報フレームのライフ値と、各送受信制御処理部からの近距離情報フレームのライフ値とについての送出時の値の一例を示すもので、図１の迂回制御処理部４ａ，４ｂと送受信制御処理部２−１〜２−５の符号をそれぞれのアドレスとし、迂回制御処理部４ａ，４ｂ間に５個の送受信制御処理部２−１〜２−５が０系と１系との伝送路により接続されている場合について示す。近距離情報フレームのライフ値（迂回制御処理部）として示す迂回制御処理部４ａ，４ｂから送出する近距離情報フレームのライフ値は、５個の送受信制御処理部２−１〜２−５が接続されているから、初期値をＮ＋１＝６とし、且つ送信先アドレスを順次送受信制御処理部２−１〜２−５のアドレスとして、所定の周期で近距離情報フレームを送出する。
【００２７】
各送受信制御処理部２−１〜２−５は、近距離情報フレームの送信先アドレスが自送受信制御処理部を示す場合、受信有無の状態情報を受信ありとして記録する。又ライフ値を１減算して転送する。従って、迂回制御処理部４ａ，４ｂから送出した近距離情報フレームのライフ値は、減算処理により順次６，５、・・・１となる。それによって、各送受信制御処理部２−１〜２−５は、迂回制御処理部４ａ，４ｂからの接続順を認識することができる。例えば、送受信制御処理部２−４は、一方の迂回制御処理部４ａからの近距離情報フレームを、送受信制御処理部２−３を介して受信するから、受信時のライフ値は３であり、それを送受信制御処理部２−３から転送する時に１減算して、ライフ値は２とするものであるから、一方の迂回制御処理部４ａからの接続順は、６−２＝４により、４番目であることを認識できる。同様、他方の迂回制御処理部４ｂからの接続順は、受信ライフ値が５であり、送信ライフ値は１減算により４となるから、６−４＝２により、２番目であることを認識できる。
【００２８】
又近距離情報フレームのライフ値（送受信制御処理部）として示す場合の送受信制御処理部２−１〜２−５は、送信元アドレスを自アドレスとし、送信先アドレスをブロードキャストアドレスとし、ライフ値を“ＦＦ”とした近距離情報フレームを所定の周期で送信する。このライフ値も送受信処理部により転送する毎に１減算する。従って、送受信制御処理部２−１から送受信制御処理部２−５方向に送信する近距離情報フレームの初期値のライフ値“ＦＦ”は、転送する毎に順次１減算するから、“ＦＥ”，“ＦＤ”，“ＦＣ”となる。例えば、送受信制御処理部２−２から送信した近距離情報フレームを送受信制御処理部２−４が受信したときのライフ値は“ＦＥ”となり、その近距離情報フレームを転送送出する時のライフ値は“ＦＤ”とする。同様に、送受信制御処理部２−５から送受信制御処理部２−１方向に送信する近距離情報フレームのライフ値も、“ＦＦ”，“ＦＥ”，“ＦＤ”，“ＦＣ”となる。
【００２９】
各送受信制御処理部２−１〜２−５は、迂回制御処理部４ａ，４ｂからの接続順を前述のように認識することができると共に、送受信制御処理部２−１〜２−５からの近距離情報フレームのライフ値により、０系伝送路Ｌ０から受信すべきか又は１系伝送路Ｌ１から受信すべきかを判断することができる。例えば、送受信制御処理部２−２に於いて、送信先アドレスが２−１の場合、送信先アドレスが２−２の近距離情報フレームのライフ値は“ＦＥ”であるから、図１に示す接続構成に於いては、０系伝送路Ｌ０に受信することになる。
【００３０】
図５は、本発明の実施例１の受信状態情報の説明図であり、装置アドレスと受信状態と迂回要求状態とについて示し、装置アドレスは、図１に示す送受信制御処理部２−１〜２−５の符号と同一として示す。又装置立上げ時に、情報記録部２４（図３参照）に、装置アドレスと受信状態との対応テーブルと、迂回要求の有無の迂回要求状態の記録領域とを形成する。この初期化時には、受信状態は総て受信なしとし、迂回要求状態は迂回要求なしとする。そして、運用開始による所定周期の近距離情報フレームの送信元アドレスを参照して、伝送路正常時は、そのアドレス対応に受信ありを記録する。この伝送路正常時は、迂回要求状態は、迂回要求なしのままとなる。伝送路異常時は、異常発生個所より近い伝送装置からの受信は可能であるが、異常発生個所より以遠の伝送装置からの受信が不可能となり、その伝送装置の装置アドレス対応に受信なしとなる。図示の場合、装置アドレス２−１〜２−３は受信ありの受信状態であるが、装置アドレス２−４，２−５は受信なしとなった場合を示す。このような受信なしの受信状態が１箇所でもあれば、迂回制御処理部４ａ，４ｂは、迂回要求状態が迂回要求なしの場合、対向迂回制御処理部に対する迂回要求を行って、迂回要求状態を迂回要求中に更新する。即ち、伝送路異常時（継続）として示す状態となる。伝送路異常復旧により、受信状態が総て受信ありとなると、迂回停止要求を対向迂回制御処理部に送出し、迂回要求状態の迂回要求中を迂回要求なしに更新し、伝送路正常時の状態に戻る。
【００３１】
図６は、送受信制御処理部の近距離情報フレーム送受信処理のフローチャートを示し、送信元アドレスを自アドレス、送信先アドレスをブロードキャストアドレス、ライフ値をＦＦとした近距離情報フレームを所定の周期で０系伝送路と１系伝送路とに送信する（Ａ１）。又対向装置から近距離情報フレームを受信し（Ａ２）、その受信状態の確認判定を行う（Ａ３）。正常受信の場合は、ライフ値を情報記録部１５（図２参照）に記録し（Ａ４）、ライフ値を１減算して、受信系と同一の系の伝送路を介して対向装置へ送信する（Ａ５）。又正常受信できない場合は、ライフ値を０として情報記録部１５に記録する（Ａ６）。この情報記録部１５に記録された０系と１系との伝送路対応のライフ値を比較し、ライフ値の大きい方の伝送路を選択する（Ａ７）。そして、自アドレス宛の情報パケット受信時は、選択された伝送路からの情報フレームを受信処理する（Ａ８）。このステップ（Ａ１）〜（Ａ８）を所定の周期毎に繰り返す。
【００３２】
図７は、迂回制御処理部の近距離情報フレーム送受信処理のフローチャートを示し、送信元アドレスを自アドレス、ライフ値をＮ＋１（Ｎ＝伝送装置の数又は送受信制御処理部の数）、送信先アドレスを装置（送受信制御処理部）対応のアドレスとした近距離情報フレームを、所定の周期で送信する（Ｂ１）。一方の迂回制御処理部４ａに於いては、他方の迂回制御処理部４ｂからの近距離情報フレームの受信状態を確認し、他方の迂回制御処理部４ｂに於いては、一方の迂回制御処理部４ａからの近距離情報フレームの受信状態を確認する（Ｂ２）。受信なしの場合はステップ（Ｂ４）に移行し、受信ありの場合は、受信状態を「受信あり」として（Ｂ３）、ステップ（Ｂ４）に移行する。ステップ（Ｂ４）に於いては、受信状態の情報を対向迂回制御処理部に通知し、一方と他方との迂回制御処理部４ａ，４ｂに於いて迂回実行要求の可否を判断する。
【００３３】
このステップ（Ｂ４）は、図８に示すステップ（Ｃ１）〜（Ｃ５）を含むものであり、迂回実行要求の可否判断の為に、全装置（全送受信制御処理部）からの近距離情報フレームの受信状態の情報を収集してチェックする（Ｃ１）。そして、総て受信状態であるか否かを判定する（Ｃ２）。受信なしを含む場合は、伝送路異常であり、迂回開始要求が未送信の場合、迂回ネットワークによる迂回開始要求を送信し（Ｃ３）、又総て受信ありの受信状態の場合は、伝送路正常であり、迂回停止要求が未送信の場合、迂回ネットワークによる迂回停止要求を送信する（Ｃ４）。そして、全装置（全送受信制御処理部）からの近距離情報フレームの受信状態をリセットし（Ｃ５）、再び、受信状態の情報の収集を開始する。
【００３４】
そして、ステップ（Ｂ４）及びステップ（Ｃ１）〜（Ｃ５）の終了により、情報フレームの受信状態を判定し（Ｂ５）、受信ありの場合は、迂回要求の有無の状態について判定し（Ｂ６）、迂回要求ありの場合は、受信した情報フレームを迂回ネットワークに送信し（Ｂ７）、迂回要求なしの場合は、受信した情報フレームを破棄する（Ｂ８）。そして、情報フレーム受信なしの場合を含めて、迂回ネットワークを介した情報フレームの受信の有無を判定し（Ｂ９）、迂回ネットワークを介して対向迂回制御処理部から転送した情報フレームを受信した場合は、対向装置（送受信制御処理部）へ送信し（Ｂ１０）、受信なしの場合を含めて終了とする。迂回制御処理部は、前述のステップ（Ｂ１）〜（１０）を所定の周期で繰り返すものである。
【００３５】
図９は、０系の伝送路の障害発生時の説明図であり、図１と同一符号は同一名称部分を示す。障害発生として、例えば、伝送装置１−２，１−３間のＸ印で示す０系伝送路Ｌ０の障害発生の場合、伝送装置１−３〜１−５は、伝送装置１−２側からの情報フレーム及び所定周期の近距離情報フレームを、０系伝送路Ｌ０を介して受信できない状態となる。このような障害発生状況に於いては、迂回制御処理部４ｂは、０系伝送路Ｌ０を介して伝送装置１−３，１−４，１−５からの近距離情報フレームを受信できるが、迂回制御処理部４ａと送受信制御処理部２−１，２−２とからの近距離情報フレームを受信できないことになる。この時の図５に示す装置アドレスと受信状態との情報は、迂回制御処理部４ｂに於いては、装置アドレス２−１，２−２は受信なし、装置アドレス２−３，２−４，２−５は受信ありとなる。
【００３６】
そこで、迂回制御処理部４ｂは、迂回ネットワーク６を介して迂回制御処理部４ａに、受信状態情報に対応した迂回要求を送出する。この場合、装置アドレス２−１，２−２を送信元アドレスとし、送信先アドレスを装置アドレス２−３，２−４，２−５とした情報フレームの迂回要求を行うことになる。この迂回要求により、迂回制御処理部４ａは、伝送装置１−１，１−２の送受信制御処理部２−１，２−２に対して、伝送装置１−３〜１−５に送信する情報フレームを１系伝送路Ｌ１に送出するように指示する。それにより、例えば、図２に示す送受信制御処理部に於いては、送信フレーム挿入部１３からフレーム生成部１２ｂを介して０系伝送路Ｌ０に送出していた伝送装置１−３〜１−５の送受信制御処理部２−３〜２−４宛の情報フレームを、フレーム生成部１２ａから１系伝送路Ｌ１に送出するように制御する。従って、送受信制御処理部２−２から送受信制御処理部２−３宛の情報フレームは、点線で示す迂回ネットワーク６経由で伝送されることになる。なお、この場合、伝送装置１−１，１−２間の１系伝送路Ｌ１が輻輳状態となる可能性があるが、既に知られている送信規制等の制御手段を適用して、輻輳回避を行うこともできる。又迂回制御処理部４ａは、伝送装置１−２の送受信制御処理部２−２宛の情報フレームが転送された場合、図７のステップ（Ｂ８）に示すように、この情報フレームについては、迂回要求なしとして廃棄する。
【００３７】
又前述の０系伝送路Ｌ０の障害が復旧すると、所定周期で送信する近距離情報フレームを受信できるから、例えば、図５の伝送路異常復旧時として示すように、受信状態は、総て受信ありとなる。それにより、迂回制御処理部４ｂは、迂回ネットワーク６を介して迂回制御処理部４ａに、迂回停止要求を送信する。この迂回停止要求を受信した迂回制御処理部４ａは、送受信制御処理部２−１，２−２に対して、初期の伝送状態に戻るように指示する。そして、迂回制御処理部４ａ，４ｂ間の迂回ネットワーク６経由の情報フレーム伝送を停止する。
【００３８】
図１０は、０系と１系との両方の伝送路の障害発生時の説明図であり、図１及び図９と同一符号は同一名称部分を示し、伝送装置１−３，１−４間の０系伝送路Ｌ０と１系伝送路Ｌ１とにＸ印で示す障害が発生すると、迂回制御処理部４ａは、送信元アドレスが伝送装置１−４，１−５及び迂回制御処理部４ｂからの情報フレームや近距離情報フレームを受信できない状態となり、又迂回制御処理部４ｂは、送信元アドレスが伝送装置１−１〜１−３及び迂回制御処理部４ａの情報フレームや近距離情報フレームを受信できない状態となる。この場合の受信状態情報としては、迂回制御処理部４ａでは、図５に示す受信状態情報は、装置アドレス２−１，２−２，２−３は受信あり、装置アドレス２−４，２−５は受信なしとなり、迂回制御処理部４ｂでは、装置アドレス１−１，２−２，２−３は受信なし、装置アドレス２−４，２−５は受信ありとなる。
【００３９】
それにより、迂回制御処理部４ａは、伝送装置１−３，１−４間の１系伝送路Ｌ１に障害が発生したと判定し、又迂回制御処理部４ｂは、伝送装置１−３，１−４間の０系伝送路Ｌ０に障害が発生したと判定することができる。そして、迂回制御処理部４ａ，４ｂは、迂回ネットワーク６を介して相互に迂回要求を送出する。それにより、迂回制御処理部４ａは、送受信制御処理部２−１〜２−３に対して、送信先アドレスが伝送装置１−４，１−５を示すデータは、１系伝送路Ｌ１に送出するように指示する。又迂回制御処理部４ｂは、送受信処理部２−４，２−５に対して、送信先アドレスが伝送装置１−１〜１−３を示すデータは、０系伝送路Ｌ０に送出するように指示する。それにより、伝送装置１−３から伝送装置１−４に対するデータは、１系伝送路Ｌ１に送信することになり、伝送装置１−１の迂回制御処理部４ａから迂回ネットワーク６を介して伝送装置１−５の迂回制御処理部４ｂに伝送し、１系伝送路Ｌ１を介して伝送装置１−４へ伝送することになる。又伝送装置１−４から伝送装置１−３に対するデータは、０系伝送路Ｌ０に送信することになり、伝送装置１−５の迂回制御処理部４ｂから迂回ネットワーク６を介して伝送装置１−１の迂回制御処理部４ａに伝送し、０系伝送路Ｌ０を介して伝送装置１−３へ伝送することになる。従って、０系及び１系の伝送路Ｌ０，Ｌ１の二重障害時でも、迂回ネットワーク６を利用してデータ伝送を継続することができる。又前述のように、障害回復により迂回制御処理部４ａ，４ｂは、受信有無の受信状態の情報は、受信ありとなるから、迂回停止要求を送出し、且つ各送受信制御処理部２−１〜２−５に対して、正常状態に復帰するように指示し、迂回ネットワーク６との接続を解放する。
【００４０】
本発明は、前述の実施例にのみ限定されるものではなく、種々付加変更することが可能であり、例えば、近距離情報フレームの周期は、実際のデータの伝送速度を阻害しないように選定する。又情報フレームのフォーマットは、既に知られている各種のフォーマットを適用可能であり、そのフォーマットに対応した近距離情報フレームとすることが可能である。又送受信制御処理部に障害が発生した場合、近距離情報フレームを送信できないから、伝送路障害発生時と同様にして、障害発生個所を認識し、迂回ネットワーク６を介した情報フレームの迂回伝送を行うことができる。
【図面の簡単な説明】
【００４１】
【図１】本発明の実施例１の説明図である。
【図２】本発明の実施例１の送受信制御処理部の要部説明図である。
【図３】本発明の実施例１の迂回制御処理部の要部説明図である。
【図４】本発明の実施例１の近距離情報フレームのライフ値の説明図である。
【図５】本発明の実施例１の受信状態情報の説明図である。
【図６】本発明の実施例１の送受信制御処理部の近距離情報フレーム送受信処理のフローチャートである。
【図７】本発明の実施例１の迂回制御処理部の近距離情報フレーム送受信処理のフローチャートである。
【図８】本発明の実施例１の迂回制御処理部の近距離情報フレーム送受信処理の中の一部の詳細なフローチャートである。
【図９】本発明の実施例１の０系伝送路障害発生時の説明図である。
【図１０】本発明の実施例１の０系及び１系の伝送路障害発生時の説明図である。
【符号の説明】
【００４２】
１−１〜１−５  伝送装置
２−１〜２−５  送受信制御処理部
３  端末制御処理部
４ａ，４ｂ  迂回制御処理部
５  端末
６  迂回ネットワーク
Ｌ０，Ｌ１  ０系及び１系の伝送路
【図１】
2010050872.tif 000003
【図２】
2010050872.tif 000004
【図３】
2010050872.tif 000005
【図４】
2010050872.tif 000006
【図５】
2010050872.tif 000007
【図６】
2010050872.tif 000008
【図７】
2010050872.tif 000009
【図８】
2010050872.tif 000010
【図９】
2010050872.tif 000011
【図１０】
2010050872.tif 000012